(57)【特許請求の範囲】
【請求項１】
鋼材から成る棒状フレームを立方体形状に組んだ箱状枠体を上下に重ねて形成した電気機器収納用枠体であって、
下に配置される前記箱状枠体の天枠、及び上に配置される前記箱状枠体の底枠には、両者をボルトで連結するためのボルト挿通孔が設けられと共に、
下に配置される前記箱状枠体には、上に配置される前記箱状枠体を当接させて位置決めするための位置決め片が溶接されて成り、
前記位置決め片は、下に配置される前記箱状枠体の天枠の１辺に設けられ、上に配置される前記箱状枠体の底枠の外側に当接する当接部を有することを特徴とする電気機器収納用枠体。
【発明の詳細な説明】
【技術分野】
【０００１】
本発明は電気機器を組み付けて収容する枠体に関し、特に複数の箱状枠体を連結して構成される電気機器収納用枠体に関する。
【背景技術】
【０００２】
例えば、全体で５０ＫＶＡを超える電力を受電する集合住宅では、集合住宅の一室に変電設備が設置される。このように専用の部屋を設けて受電設備を収容する場合、できるだけ省スペースで設置される。そして、このような設備は部屋の中であるため雨水対策が必要ないため、キュービクルのように周囲を閉塞する必要が無く、機器を固定するためのフレームを備えた箱状枠体が使用され、機器を組み付けて設置した。この場合、箱状枠体は建屋内に運び込みやすいよう上下に分割して搬入され、設置場所においてボルト止め等で連結した。
【先行技術文献】
【特許文献】
【０００３】
【特許文献１】特開２０１０−１５８１５３号公報
【発明の概要】
【発明が解決しようとする課題】
【０００４】
上述したように、上下に配置された箱状枠体は通常ボルト止めされるが、その際ボルト挿通孔の位置合わせが必要があり、この位置合わせ作業が面倒であった。特に、上に載置する箱状枠体は機器が組み付けられている場合もあり、この場合重量が嵩むため特に厄介であった。
【０００５】
そこで、本発明はこのような問題点に鑑み、箱状枠体を上下に重ねて連結する際に、上下の箱状枠体の位置決めを容易に実施できる電気機器用枠体を提供することを目的としている。
【課題を解決するための手段】
【０００６】
上記課題を解決する為に、請求項１の発明は、鋼材から成る棒状フレームを立方体形状に組んだ箱状枠体を上下に重ねて形成した電気機器収納用枠体であって、下に配置される箱状枠体の天枠、及び上に配置される箱状枠体の底枠には、両者をボルトで連結するためのボルト挿通孔が設けられと共に、下に配置される箱状枠体には、上に配置される箱状枠体を当接させて位置決めするための位置決め片が溶接されて成り、位置決め片は、下に配置される箱状枠体の天枠の１辺に設けられ、上に配置される箱状枠体の底枠の外側に当接する当接部を有することを特徴とする。
この構成によれば、下の箱状枠体が位置決め片を備えるため、上に配置した箱状枠体を位置決め片に当接させることで容易に位置決めでき、ボルト止めし易い。
【０００７】
また、下の箱状枠体の天面は１辺のみ突起部がある程度であり、上に配置される箱状枠体をスムーズに載置できるし、載置後スライドさせて位置決め片に当接させればよく、作業者が一人であっても位置合わせ操作が可能である。
【発明の効果】
【０００８】
本発明によれば、下の箱状枠体が位置決め片を備えるため、上に配置した箱状枠体を位置決め片に当接させることで位置決めでき、ボルト止めし易い。
【図面の簡単な説明】
【０００９】
【図１】本発明に係る電気機器収納用枠体の一例を示す左側面図である。
【図２】下に配置される箱状枠体の説明図であり、（ａ）は背面図、（ｂ）は平面図である。
【図３】位置決め片の説明図であり、（ａ）は平面図、（ｂ）は正面図、（ｃ）は右側面図である。
【図４】Ａ部拡大図である。
【発明を実施するための形態】
【００１０】
以下、本発明を具体化した実施の形態を、図面を参照して詳細に説明する。図１は本発明に係る電気機器収納用枠体の一例を示す左側面図であり、電気機器を組み付けた状態を示している。図１に示すように、電気機器収納用枠体は２つの箱状枠体１，２（下側箱状枠体１、上側箱状枠体２）を上下に連結して構成される。尚、図１は内部に電気機器を組み付けて、借室変電用受電盤を形成した状態を示し、３１は断路機器、３２は計器用変圧器、３３はＶＣＢ（真空遮断器）、３４は高圧変流器である。
【００１１】
図２は下側箱状枠体１の説明図であり、（ａ）は背面図、（ｂ）は平面図である。図２に示すように、下側箱状枠体１は、四角形の天枠１２、底枠１３を有し、４隅に立設された支柱状のフレーム１４により両者は連結されている。また、必要に応じて内部に棒状フレーム１５が掛け渡され、天枠１２には上に載置された上側箱状枠体２を連結するためのボルト挿通孔１２ａが設けられている。何れの部材も鋼材から成る棒状フレームで形成され、溶接して連結されている。
そして、天枠１２の背面側となる１側面には位置決め片３が左右２箇所に溶接されている。
【００１２】
一方、上側箱状枠体２は、位置決め片３を持たない点が相違する程度で下側箱状枠体１と同様に形成され、図１に示すように天枠２２と底枠２３とが４隅に立設された支柱状のフレーム２４により連結されている。また底枠２３には、下側箱状枠体１の天枠１２に設けられたボルト挿通孔１２ａの位置に合致するボルト挿通孔（図示せず）が設けられている。
【００１３】
図３は位置決め片３を示し、（ａ）は平面図、（ｂ）は正面図、（ｃ）は右側面図である。図３に示すように、四角形金属板をコ字状に折り曲げて、背板３ａ、左右側板３ｂ、３ｂが形成され、背板３ａの下半分を天枠１２の外側部に溶接し、略２分の１を上方に突出させている。
【００１４】
このように構成された箱状枠体１，２の組み立ては以下の様に成される。上下の箱状枠体１，２は設置現場である借変電室等の屋内に搬入されて組み立てられる。通常は、内部に機器が組み付けられた状態で搬入される。
先ず、下側箱状枠体１が別途用意されて設置位置に配置された図１に示す基台４に載置されて固定される。尚、このとき位置決め片３は背部に配置される。
次に固定された下側箱状枠体１に対して、上側箱状枠体２が天枠１２上に載置され、ボルト止めされる。このとき、載置した上側箱状枠体２の位置合わせが行われるが、上方に突出した位置決め片３により、上側箱状枠体２をスライドさせても後方に突出することが無く、図１のＡ部を拡大した図４に示すように位置決め片３に当接させた上側箱状枠体２は、背面が下側箱状枠体１の背面と一致する。
こうして位置決め片３に当接させた状態で、下側箱状枠体１に対して左右の位置合わせを実施すれば、下側箱状枠体１のボルト挿通孔１２ａと上側箱状枠体２のボルト挿通孔は一致する。こうして、ボルトを挿通して連結される。
【００１５】
このように、下側箱状枠体１が位置決め片３を備えるため、上に配置した上側箱状枠体２を位置決め片に当接させることで容易に位置決めでき、ボルト止めし易い。
そして、下側箱状枠体１の天面は１辺のみ位置決め片３による突起がある程度であり、上側に配置される箱状枠体をスムーズに載置できるし、載置後スライドさせて位置決め片に当接させればよく、作業者が一人であっても位置合わせ操作が可能である。
【００１６】
尚、上記実施形態では、位置決め片３を同一辺の左右２箇所に設けたが、１つの辺の全域に亘り帯状に設けても良い。また、左右端部にコ字状に設けて、後方へのスライド操作で前後左右の位置合わせが可能な構成としても良い。
【産業上の利用可能性】
【００１７】
上記実施形態は、受電設備を組み付けた枠体を説明したが、本発明の電気機器収納用枠体は、屋内に設置されて電気機器を組み付ける箱体として広く利用できる。
【符号の説明】
【００１８】
１・・下側箱状枠体、２・・上側箱状枠体、３・・位置決め片、１２・・天枠、１３・・底枠、１２ａ・・ボルト挿通孔。
【図１】
0006482366.tif 000002
【図２】
0006482366.tif 000003
【図３】
0006482366.tif 000004
【図４】
0006482366.tif 000005